【事件の表示】
　平成　９年特許願第　　９７７６号「画像形成装置」拒絶査定不服審判事件〔平成１０年　８月　７日出願公開、特開平１０−２０７２９９〕について、次のとおり審決する。
【結　論】
　本件審判の請求は、成り立たない。
【理　由】
１．手続の経緯
　本願は、平成９年１月２２日の出願であって、平成１８年１２月１２日付けで拒絶査定がなされ、これに対して、平成１９年１月１８日付けで審判請求がなされるとともに、同年２月１９日付けで手続補正がなされたものである。
　
２．平成１９年２月１９日付けの手続補正の却下の決定
［結論］
　平成１９年２月１９日付けの手続補正を却下する。
　
［理由］
（１）補正事項
　平成１９年２月１９日付けの手続補正（以下「本件補正」という）は、特許請求の範囲について、以下のとおりに補正しようとする補正事項を含む。
　
［補正前］
「【請求項１】　用紙を供給する複数の給紙手段と、
　この複数の給紙手段のうちの１つの給紙手段から供給される用紙に画像を形成する画像形成手段と、
　この画像形成手段で画像が形成される用紙を供給する給紙手段に用紙が無くなった際、当該給紙手段に収納されていた用紙と同じサイズの用紙を収納している他の給紙手段から自動的に用紙を供給して画像形成動作を継続する制御を行う自動給紙制御手段と、
　上記自動給紙制御手段の実行を許可／禁止する自動給紙制御実施許可判断手段と、
　上記複数の給紙手段における給紙手段毎に上記自動給紙制御手段の実行許可、実行禁止を設定する設定手段と、
　この設定手段で設定された実行許可、実行禁止の情報を記憶する記憶手段と、
　上記複数の給紙手段のうちの１つの給紙手段から供給される用紙に上記画像形成手段で画像を形成中に当該給紙手段に用紙がなくなった際、上記自動給紙制御実施許可判断手段により実行が許可され、かつ上記記憶手段に記憶されている当該給紙手段の設定情報が実行許可であった場合に上記自動給紙制御手段を実行する実行手段と、
　上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行禁止であった場合に当該給紙手段に用紙が無くなったことを表示する表示手段と、
　を具備したことを特徴とする画像形成装置。
　
【請求項２】　複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成装置において、
　上記自動給紙制御手段の実行を許可／禁止する自動給紙制御実施許可判断手段と、
　上記複数の給紙手段のうち、手差しで用紙を供給する給紙手段が選択された際、上記自動給紙制御手段の実行許可、または実行禁止を指示する指示手段と、
　上記手差しで用紙を供給する給紙手段で用紙の供給が無くなった際、上記自動給紙制御実施許可判断手段により実行が許可され、かつ上記指示手段の指示が実行許可であった場合に上記自動給紙制御手段を実行する実行手段と、
　上記手差しで用紙を供給する給紙手段で用紙の供給が無くなった際、上記指示手段の指示が実行禁止であった場合に当該給紙手段に用紙が無くなったことを表示する表示手段と、
　を具備したことを特徴とする画像形成装置。
　
【請求項３】　複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成装置において、
　上記自動給紙制御手段の実行を許可／禁止する自動給紙制御実施許可判断手段と、
　上記画像形成装置で画像を形成する画像形成条件を入力する入力手段と、
　この入力手段で入力された画像形成条件に応じて上記自動給紙制御手段の実行許可、または実行禁止を判断する判断手段と、
　上記複数の給紙手段のうちの１つの給紙手段から供給される用紙に画像を形成中に当該給紙手段に用紙がなくなった際、上記自動給紙制御実施許可判断手段により実行が許可され、かつ上記判断手段の判断が実行許可であった場合に上記自動給紙制御手段を実行する実行手段と、
　上記複数の給紙手段のうちの１つの給紙手段から供給される用紙に画像を形成中に当該給紙手段に用紙がなくなった際、上記判断手段の判断が実行禁止であった場合に当該給紙手段に用紙が無くなったことを表示する表示手段と、を具備したことを特徴とする画像形成装置。
　
【請求項４】　用紙を供給する複数の給紙手段のうちの１つの給紙手段から供給される用紙に画像を形成し、
　この画像が形成される用紙を供給する給紙手段に用紙が無くなった際、当該給紙手段に収納されていた用紙と同じサイズの用紙を収納している他の給紙手段から自動的に用紙を供給して画像形成動作を継続する自動給紙制御を行い、
　上記自動給紙制御全体の実行が許可／禁止かを判断し、
　上記複数の給紙手段における給紙手段毎に上記自動給紙制御の実行許可、実行禁止を設定し、
　この設定された実行許可、実行禁止の情報を記憶し、
　上記複数の給紙手段のうちの１つの給紙手段から供給される用紙に画像を形成中に当該給紙手段に用紙がなくなった際、上記記憶されている当該給紙手段の設定情報が実行許可であった場合に上記自動給紙制御実施許可判断手段により実行が許可され、かつ上記自動給紙制御を実行し、
　上記複数の給紙手段のうちの１つの給紙手段から供給される用紙に画像を形成中に当該給紙手段に用紙がなくなった際、上記記憶されている当該給紙手段の設定情報が実行禁止であった場合に当該給紙手段に用紙が無くなったことを表示する　ようにしたことを特徴とする画像形成方法。
　
【請求項５】　複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成方法であって、
　上記自動給紙制御手段の実行の許可／禁止を判断し、
　上記複数の給紙手段のうち、手差しで用紙を供給する給紙手段が選択された際、上記自動給紙制御手段の実行許可、または実行禁止を指示し、
　上記手差しで用紙を供給する給紙手段で用紙の供給が無くなった際、上記自動給紙制御手段の実行の許可を判断し、かつ上記指示が実行許可であった場合に上記自動給紙制御手段を実行し、上記手差しで用紙を供給する給紙手段で用紙の供給が無くなった際、上記指示が実行禁止であった場合に当該給紙手段に用紙が無くなったことを表示するようにしたことを特徴とする画像形成方法。
　
【請求項６】　複数の給紙手段が設けられ、この複数の給紙手段のうちの１つの給紙手段から供給される用紙に画像を形成中に当該給紙手段から供給される用紙がなくなった際、当該給紙手段に収納されていた用紙と同じサイズの用紙を収納している他の給紙手段から自動的に用紙を供給して画像形成動作を継続する自動給紙制御手段を有する画像形成方法であって、
　上記自動給紙制御手段の実行の許可／禁止を判断し、
　画像形成条件を入力し、この入力された画像形成条件に応じて上記自動給紙制御手段の実行許可、または実行禁止を判断し、
　上記複数の給紙手段のうちの１つの給紙手段から供給される用紙に画像を形成中に当該給紙手段に用紙がなくなった際、上記自動給紙制御実施許可判断手段の実行の許可を判断し、かつ上記判断が実行許可であった場合に上記自動給紙制御手段を実行し、
　上記複数の給紙手段のうちの１つの給紙手段から供給される用紙に上記画像形成手段で画像を形成中に当該給紙手段に用紙がなくなった際、上記判断が実行禁止であった場合に当該給紙手段に用紙が無くなったことを表示するようにしたことを特徴とする画像形成方法。」
　
［補正後］
「【請求項１】
　少なくとも同じサイズの用紙がそれぞれ別々に収納されている複数の収納カセットと、
　これらの収納カセットの１つから順次、供給される用紙に画像を形成する画像形成手段と、
　この画像形成手段により上記収納カセットの１つから連続して供給される所定のサイズの用紙に画像を形成している状態で、上記収納カセットの収納用紙が無くなった際に、上記収納カセットに収納されている用紙のサイズと同じサイズの用紙が収納されている別の収納カセットからの用紙の供給を自動的に行う給紙カセットチェンジ機能とを有する画像形成装置において、
　上記画像形成手段に対してあらかじめ設定した設定モードを判断する第１の判断手段と、
　この第１の判断手段により上記画像形成手段に対してあらかじめ設定した設定モードを判断した際に、上記給紙カセットチェンジ機能の実行が禁止されていることを示すデータを記憶する第１の記憶手段と、
　上記画像形成手段により上記収納カセットの１つから連続して供給される所定のサイズの用紙に画像を形成している状態で、上記収納カセットの収納用紙が無くなった際に、上記第１の記憶手段に上記給紙カセットチェンジ機能の実行が禁止されていることを示すデータが記憶されているか否かにより、上記給紙カセットチェンジ機能の実行が許可されているか禁止されているかを判断する第２の判断手段と、
　調整コードによる上記各給紙カセットごとに設定されている上記給紙カセットチェンジ機能の実行が許可あるいは禁止されていることを示すデータが記憶されている第２の記憶手段と、
　画像形成処理開始時に、上記給紙カセットチェンジ機能の実行が許可あるいは禁止されているかを自動で判断するか、調整コードにより第２の記憶手段の記憶内容により上記給紙カセットチェンジ機能の実行が許可あるいは禁止されているかを判断する第３の判断手段と、
　を具備したことを特徴とする画像形成装置。」
　
（２）補正目的違反
　本件補正前の請求項１乃至３には物の発明（「画像形成装置」）が記載されており、請求項４乃至６には方法の発明（「画像形成方法」）が記載されている。そして、本件補正後は、請求項の数がひとつとなり、その請求項１には物の発明（「画像形成装置」）が記載されている。したがって、本件補正により、補正前の請求項４乃至６は削除されている（補正後の請求項１が補正前の請求項４乃至６のいずれかを補正するものであれば、両者の発明のカテゴリーが互いに相違するから、補正目的違反はきわめて明らかである）。
　よって、本件補正後の請求項１は、本件補正前の請求項１乃至３のいずれかを補正するものと認められる。
　ところで、本件補正前の請求項１乃至３には、「上記自動給紙制御手段の実行を許可／禁止する自動給紙制御実施許可判断手段」という共通の発明特定事項が記載されている。また、本件補正前の請求項１乃至３には、「表示手段」について記載されており、本件補正前の請求項１には、「上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行禁止であった場合に当該給紙手段に用紙が無くなったことを表示する表示手段」という発明特定事項が、本件補正前の請求項２には、「上記手差しで用紙を供給する給紙手段で用紙の供給が無くなった際、上記指示手段の指示が実行禁止であった場合に当該給紙手段に用紙が無くなったことを表示する表示手段」という発明特定事項が、本件補正前の請求項３には、「上記複数の給紙手段のうちの１つの給紙手段から供給される用紙に画像を形成中に当該給紙手段に用紙がなくなった際、上記判断手段の判断が実行禁止であった場合に当該給紙手段に用紙が無くなったことを表示する表示手段」という発明特定事項が、それぞれ記載されている。
　しかし、本件補正後の請求項１には、少なくとも前記各発明特定事項が記載されていない。すなわち、本件補正後の請求項１が、本件補正前の請求項１又は３のいずれかを補正するとしても、本件補正により前記発明特定事項が削除されていることになる。よって、少なくともこの点において、本件補正は、特許請求の範囲の減縮（第３６条第５項の規定により
請求項に記載した発明を特定するために必要な事項を限定するもの
　また、本件補正が、誤記の訂正、又は、明りょうでない記載の釈明（拒絶理由通知に係る拒絶の理由に示す事項についてするものに限る。）を目的とするものでないことも明らかである。
　したがって、本件補正は、平成１８年改正前特許法第１７条の２第４項の各号のいずれの事項を目的とするものでもない。
　よって、本件補正は、平成１８年改正前特許法第１７条の２第４項の規定に違反するので、同法第１５９条第１項の規定において読み替えて準用する同法第５３条第１項の規定により却下すべきものである。
　
３．本願発明
　平成１９年２月１９日付けの手続補正は、上記のとおり却下されたので、本願の請求項１乃至６に係る発明は、平成１８年６月２６日付けの手続補正により補正された特許請求の範囲に記載されたとおりのものであるところ、その請求項１に係る発明（以下「本願発明」という）は、前記「２．（１）補正事項」の［補正前］の【請求項１】に記載したとおりのものである。
　
４．引用文献
（１）引用文献１
　原査定の拒絶の理由に引用された、本願の出願日前に頒布された刊行物である特開平４−１１８６６８号公報（以下「引用文献１」という）には、図面と共に以下の事項が記載されている。
　
（ａ）「２．特許請求の範囲
１　複数の給紙段と、その各給紙段内のペーパの有無を検知するペーパ有無検知手段と、各給紙段に収納されているペーパのサイズを検知するペーパサイズ検知手段と、画像形成中、前記複数の給紙段のうちの選択された給紙段から給紙が行なわれている時に該給紙段に対してペーパ無しが検知された場合、該給紙段に収納していたペーパサイズと同一サイズのペーパを収納している他の給紙段があればその給紙段から給紙するように自動的に切り換える給紙自動切換手段とを備えた画像形成装置において、
　前記複数の給紙段のうちのいずれかを特定の給紙段として設定する特定給紙段設定手段と、
　画像形成中、前記特定給紙段設定手段によつて設定された給紙段から給紙が行なわれている時には、該給紙段に対してペーパ無しが検知された場合に、該給紙段に収納していたペーパサイズと同一サイズのペーパを収納している他の給紙段があつても、前記給紙自動切換手段による給紙切り換えを禁止する切換禁止手段とを設けたことを特徴とする画像形成装置。
２　複数の給紙段と、その各給紙段内のペーパの有無を検知するペーパ有無検知手段と、各給紙段に収納されているペーパのサイズを検知するペーパサイズ検知手段と、画像形成中、前記複数の給紙段のうちの選択された給紙段から給紙が行なわれている時に該給紙段に対してペーパ無しが検知された場合、該給紙段に収納していたペーパサイズと同一サイズのペーパを収納している他の給紙段があればその給紙段から給紙するように自動的に切り換える給紙自動切換手段とを備えた画像形成装置において、
　前記複数の給紙段のうちのいずれかを特定の給紙段として設定する特定給紙段設定手段と、　
　画像形成中、前記設定された特定の給紙段以外の給紙段から給紙が行なわれている時に、該給紙段に対してペーパ無しが検知され、該給紙段に収納していたペーパサイズと同一サイズのペーパを収納している前記特定の給紙段以外の給紙段がある時にのみ、前記給紙自動切換手段による給紙切り換えを許可する切換許可手段とを設けたことを特徴とする画像形成装置。」（１頁左下欄４行〜２頁左上欄６行）
　
（ｂ）「〔産業上の利用分野〕
　この発明は、各種プリンタ、複写機、フアクシミリ装置等の画像形成装置に関する。
〔従来の技術〕
　一般に、複写機のような複数の給紙段を備えた画像形成装置においては、画像形成中、その各給紙段のうちの選択された給紙段から給紙が行なわれている時にその給紙段に対してペーパ無しが検知された場合、その給紙段に収納していたペーパサイズと同一サイズのペーパを収納している給紙段があればその給紙段に自動的に切り換えて、画像形成をそのまま続行できるように、リミツトレス給紙機能を有するものがある。
〔発明が解決しようとする課題〕
　しかしながら、そのような従来のリミツトレス給紙機能を備えた画像形成装置では、いずれかの給紙段に通常のペーパとは紙質や色等の異なる特別なペーパをセツトし、その給紙段から給紙させて画像形成を行なつている時にも、その給紙段内のペーパが無くなるとリミツトレス給紙を行なうようになつているので、途中で色や紙質の異なるペーパに画像形成処理が施されてペーパを無駄にしてしまうことがあるという問題があつた。
　また、それとは逆に、いずれかの給紙段に上述のような特別なペーパがセツトされた状態で、通常のペーパがセツトされた給紙段から給紙させて画像形成を行なうと、その給紙段内のペーパが無くなつた時にリミツトレス給紙によつて特別なペーパが給紙されてしまうことがあるため、やはり途中で色や紙質の異なるペーパに画像形成処理が施されてペーパを無駄にしてしまうことがある。
　この発明は上記の点に鑑みてなされたものであり、いずれかの給紙段に通常のペーパとは紙質や色等の異なる特別なペーパがセツトされた状態で、その給紙段あるいはそれ以外の給紙段から給紙を行なわせて画像形成を行なつている時にそのペーパが無くなつても、他の希望しないペーパに切り換わつて無駄な画像形成が行なわれることがないようにすることを目的とする。」（２頁左上欄１６行〜同頁左下欄１４行）
　
（ｃ）「〔作　用〕
　この発明による第１図の画像形成装置では、画像形成中、特定給紙段設定手段Ｄによつて設定された給紙段から給紙が行なわれている時には、該給紙段に対してペーパ無しが検知された場合に、該給紙段に収納していたペーパサイズと同一サイズのペーパを収納している他の給紙段があつても、切換禁止手段Ｅが給紙自動切換手段Ｃによる給紙切り換えを禁止するので、特定の給紙段に通常のペーパとは紙質や色等の異なる特別なペーパをセツトし、そこから給紙をさせて画像形成を行なつている時にそのペーパが無くなつても、他の希望しないペーパに切り換わつて無駄な画像形成が行なわれることを防止できる。
　また、この発明による第２図の画像形成装置では、画像形成中、特定給紙段設定手段Ｄによつて設定された特定の給紙段以外の給紙段から給紙が行なわれている時に、該給紙段に対してペーパ無しが検知され、該給紙段に収納していたペーパサイズと同一サイズのペーパを収納している上記特定の給紙段以外の給紙段がある時にのみ、切換許可手段Ｆが給紙自動切換手段Ｃによる給紙切り換えを許可するので、特定の給紙段に特別なペーパがセツトされた状態で、それ以外の給紙段から通常のペーパを給紙させて画像形成を行なつている時にそのペーパが無くなつても、希望しない特別なペーパに切り換わつて無駄な画像形成が行なわれることを防止できる。
　なお、両発明を組み合わせれば、一層有効な画像形成装置を提供できる。」（３頁左上欄１５行〜同頁左下欄４行）
　
（ｄ）「次に、このように構成されたこの実施例の作用について、第８図以降をも参照して具体的に説明する。
　第８図は、第６図のＣＰＵ５０による特定給紙段設定処理を示すフローチャートである。
　このルーチンは図示しないメインルーチンによつてコールされるとスタートし、まず給紙段入力モードか否かを判断して、給紙段入力モードでなければ、第７図に示したテンキー７３の「１」キーが押下されたか否かの判断に移行する。
　そして、テンキー７３の「１」キーが押下されなければ直ちにメインルーチンへリターンし、押下されると置数確認（＃）キー７２が押下されたか否かを判断して、押下されなければそのまま、押下されると給紙段入力モードにした後メインルーチンへリターンする。
　すなわち、テンキー７３の「１」キーと置数確認（＃）キー７２とが同時に押下された時に給紙段入力モードとなる。
　一方、給紙段入力モードならばテンキー７３の「１」〜「４」キーのいずれかが押下された否かを判断し、押下されるとその入力キー番号を特定の給紙カセツトとして記憶した後、給紙段入力モードを解除してメインルーチンへリターンする。
　ここで、４つの給紙カセツト１５，１６，４０，４１の識別コード（ＩＤ）がそれぞれ「１」、「２」、「３」、「４」であるとすれば、給紙段入力モード時に例えばテンキー７３の「１」キーが押下されと、そのキー番号「１」を特定の給紙カセツトとして記憶するため、そのキー番号によつて示される給紙カセツト１５が特定の給紙カセツトとして設定されることになる。
　また、給紙段入カモード時にテンキー７３の「０」キーが押下されると、特定の給紙カセツトがないものとして記憶した後、メインルーチンへリターンする。
　したがつて、いずれかの給紙カセツトが特定の給紙カセツトとして設定されている状態で、給紙段入力モード時にテンキー７３の「０」キーが押下されるとその設定状態が解除される。」（６頁右下欄１１行〜７頁右上欄１０行）
　
（ｅ）「第１０図は、ＣＰＵ５０による給紙切換チエツク処理を示すフローチャートである。
　メインルーチンによつてコールされてスタートすると、まずステツプ１でコピー中か否かを判断して、コピー中でなければそのままメインルーチンへリターンし、コピー中ならばステツプ２で選択されている給紙カセツト内がペーパエンドか否かを判断する。
　そして、ペーパエンドでなければメインルーチンへリターンし、ペーパエンドならばステツプ３へ進んでこの給紙カセツトが特定の給紙カセツトか否か、すなわち特定の給紙カセツトとして設定されているか否かを判断して、特定の給紙カセツトならば直ちにステツプ１６へ進み、そこでコピーを中断してメインルーチンへリターンする。
　また、その給紙カセツトが特定の給紙カセツトでなければ、ステツプ４で１段目の給紙カセツト１５に収納されるべきペーパサイズが選択されている給紙カセツトに収納されていたペーパと同一サイズか否かを判断して、同一サイズでなければステツプ７へ進むが、同一サイズならばステツプ５へ進んで１段目の給紙カセツト１５が特定の給紙カセツトか否かを判断する。
　そして、給紙カセツト１５が特定の給紙力セツトならばステツプ７へ進むが、そうでなければステツプ６で給紙カセツト１５内がペーパエンドか否かを判断して、ペーパエンドでなければステツプ１７でその給紙カセツト１５から給紙するように給紙切換を行なつた後メインルーチンへリターンする。
　また、給紙カセツト１５内がペーパエンドならばステツプ７へ進み、今度は２段目の給紙カセツト１６に収納されるべきペーパサイズが選択されている給紙カセツトに収納されていたペーパと同一サイズか否かを判断し、以後この給紙カセツト１６に対して上述した給紙カセツト１５に対する処理（ステツプ１６のコピー中断処理は除く）と同様な処理をステツプ８，９，１７で行ない、さらに３，４段目の給紙カセツト４０，４１に対しても上述の処理と同様な処理をステツプ１０〜１５で行なう。
　そして、ステツプ１６まで進んだ場合には、コピーを中断してメインルーチンへリターンする。」（７頁左下欄１７行〜８頁左上欄１９行）
　
（ｆ）「このように、この実施例においては、コピー中、４つの給紙カセツト１５，１６，４０，４１のうちの特定の給紙カセツトとして設定されていない給紙カセツトから給紙が行なわれている時にその給紙カセツトに対してペーパ無しが検知された場合、その給紙カセツトに収納していたペーパサイズと同一サイズのペーパを収納し、且つ特定の給紙カセツトとして設定されていない他の給紙カセツトがある場合にのみ、その給紙カセツトから給紙するように自動的に切り換えるので、特定の給紙カセツトに通常のペーパとは紙質や色等の異なる特別なペーパがセツトされた状態で、それ以外の給紙カセツトから通常のペーパを給紙させて画像形成行なつている時にそのペーパが無くなつても、希望しないペーパに切り換わつて無駄な画像形成が行なわれることがなくなる。
　また、特定の給紙カセツトから給紙が行なわれている時には、その給紙カセツトに対してペーパ無しが検知された場合に、その給紙カセツトに収納していたペーパサイズと同一サイズのペーパを収納している他の給紙カセツトがあつても、その給紙カセツトから給紙しないように給紙切換を禁止するようにしたので、特定の給紙カセツトに特別なペーパをセツトして画像形成を行なつている時にそのペーパが無くなつても、他の希望しないペーパに切り換わつて無駄な画像形成が行なおれることもなくなる。」（８頁右下欄８行〜９頁左上欄１４行）
　
（ｇ）「〔発明の効果〕
　以上説明したように、この発明による画像形成装置によれば、いずれかの給紙段に通常のペーパとは紙質や色等の異なる特別なペーパがセツトされた状態で、その給紙段あるいはそれ以外の通常のペーパが収納された給紙段から給紙を行なわせて画像形成を行なつている時にそのペーパが無くなつても、他の希望しないペーパに切り換わつて無駄な画像形成が行なわれることがなくなる。」（９頁右上欄５行〜同頁同欄１３行）
　
　以上の記載事項を総合すると、引用文献１には、以下の発明が実質的に記載されている。
　
　ペーパを供給する複数の給紙カセットと、
　この複数の給紙カセットのうちの１つの給紙カセットから供給されるペーパに画像を形成する画像形成手段と、
　この画像形成手段で画像が形成されるペーパを供給する給紙カセットにペーパが無くなった際、当該給紙カセットに収納されていたペーパと同一サイズのペーパを収納している他の給紙カセットから自動的にペーパを供給して画像形成動作を継続するリミットレス給紙を行う制御手段と、
　上記複数の給紙カセットのうち、上記リミットレス給紙の対象とならない特定の給紙カセットを設定する手段と、
　上記特定の給紙カセットを記憶する記憶手段と、
　上記複数の給紙カセットのうちの１つの給紙カセットから供給される用紙に上記画像形成手段で画像を形成中に当該給紙カセットにペーパがなくなった際、当該給紙カセットが上記記憶手段に記憶された特定の給紙カセットでない場合に、上記リミットレス給紙を実行する手段と、
　上記複数の給紙手段のうちの１つの給紙カセットから供給されるペーパに上記画像形成手段で画像を形成中に当該給紙カセットにペーパがなくなった際、当該給紙カセットが上記記憶手段に記憶された特定の給紙カセットである場合に、画像形成動作を中断する制御手段と、を具備した画像形成装置。
　
（２）引用文献２
　原査定の拒絶の理由に引用された、本願出願前に頒布された刊行物である特開平４−３５８６５１号公報（以下「引用文献２」という）には、図面とともに以下の事項が記載されている（下線は当審で付与）。
　
（ａ）「【請求項１】　　用紙を収納した複数の用紙収納手段と特定の用紙を収納した用紙収納手段とを備え、画像形成動作中にその画像形成に使用している用紙収納手段内に収納した用紙がなくなつたときに、他の同一サイズの用紙を収納した用紙収納手段を自動的に選択して画像形成動作を続行するように設定されたモードを有する画像形成装置において、上記モードで画像形成を実行中に使用している用紙収納手段内に収納された用紙がなくなつたとき、上記特定の用紙を収納した用紙収納手段は選択しないように設定された制御手段を備えていることを特徴とする画像形成装置。
【請求項２】用紙を収納した複数の用紙収納手段を備え、画像形成動作中にその画像形成に使用している用紙収納手段に、用紙がなくなつた際に、同一サイズの用紙が他の用紙収納手段にセツトされている場合、自動的に用紙収納手段を切り換える給紙制御モードを有する画像形成装置において、上記給紙制御モードを実行する際に、用紙収納手段を切り換えて用紙の種類が異なる場合、実行を禁止することを特徴とした画像形成装置。
【請求項３】　　請求項２の画像形成装置において、事前に、画像形成動作時の仕様を、任意に設定可能なプログラムモードを有し、上記給紙制御モードを実行する際に、用紙収納手段を切り換えて用紙の紙種が異なる場合、実行を禁止するか否かプログラムモードで、設定するようにしたことを特徴とした画像形成装置。」
　
（ｂ）「【０００１】
【産業上の利用分野】本発明は、複写機やフアクシミリなどの画像形成装置に係り、特に同一サイズの転写紙が収納されている複数のカセツト（用紙収納手段）を使用し、一つのカセツト内の転写紙がなくなつたとき、同一サイズの転写紙を収納した他のカセツトを選択して、画像形成動作を中断せずに継続するモードを備えた画像形成装置に関する。
【０００２】
【従来の技術】従来から各種サイズの用紙（以下、転写紙とも称する）を収納したカセツトと色紙や厚紙などの特定の転写紙を収納した特定カセツトをセツト可能な画像形成装置、例えば複写機が使用されている。この種の複写機では、例えばパンフレツトの表紙の複写を行うような場合に、特定カセツトに収納されている転写紙を選択して複写動作を行うように設定されている。また、この種の画像形成装置では、カセツト内の転写紙がなくなると、自動的に同一サイズの転写紙を収納した他のカセツトを選択して、画像形成動作を中断せずに継続して行うように設定されたリミツトレスモードと呼ばれるモードを持つものがある。
【０００３】
【発明が解決しようとする課題】このモードでは、画像形成動作中に現在選択中のカセツト内の用紙がなくなると、複写機のＣＰＵが同一サイズの用紙の有無を調べ、同一サイズの用紙が存在する場合には自動的にそのカセツトに切り換えて複写動作を続行するので、リミツトレスモードにセツトしてある限り、カセツト内の転写紙がなくなると、同一カセツトが有れば無条件にそのカセツトに切り換えて複写動作を続行していた。しかし、その画像形成に際し、特定の用紙を収納したカセツトが、現在選択中のカセツトと同一サイズだつた場合、リミツトレスモードを実行すると、この特定の用紙を収納したカセツトが選択されてしまう可能性がある。この場合、このカセツトには特定の転写紙（例えば、色紙、厚紙等）がセツトされており、途中からこのような転写紙にコピーされるのは、オペレータの意図に反することもあつて、不具合を生じる場合もある。本発明は前述したようなこの種の画像形成装置におけるリミツトレスモードにおける選択動作の現状に鑑みてなされたものであり、その目的は転写紙の紙切れ時に、オペレータの意に反して特定の用紙収納手段に収納されている特定の転写紙が選択されて画像形成が継続されることのない画像形成装置を提供することにある。
【０００４】
【課題を解決するための手段】上記目的は、用紙を収納した複数の用紙収納手段と特定の用紙を収納した用紙収納手段とを備え、画像形成動作中にその画像形成に使用している用紙収納手段内に収納した用紙がなくなつたとき、他の同一サイズの用紙を収納した用紙収納手段を自動的に選択して画像形成動作を続行するように設定されたモードを有する画像形成装置において、上記モードで画像形成を実行中に使用している用紙収納手段に収納された用紙がなくなつたとき、上記特定の用紙を収納した用紙収納手段は選択しないように設定された制御手段を設けることによつて達成される。また上記目的は用紙を収納した複数の用紙収納手段を備え、画像形成動作中にその画像形成に使用している用紙収納手段に、用紙がなくなつた際に同一サイズの用紙が他の用紙収納手段にセツトされている場合、自動的に用紙収納手段を切換える給紙制御モードを有する画像形成装置において、上記給紙制御モードを実行する際に用紙収納手段を切り換えて用紙の種類が異なる場合実行を禁止することによつて達成される。」
　
（ｃ）「【０００５】
【作用】上記第１の手段では、画像形成動作中に用紙収納手段内の転写紙がなくなると上記制御手段によつて特定の用紙（転写紙）を収納した用紙は選択しないように制御される。これにより、オペレータの意に反して特定カセツト内の特定の用紙が選択され、画像形成動作が継続されることはない。上記第２の手段では、画像形成動作中に用紙収納手段内の転写紙がなくなると予め設定されたプログラムモードによつて、上記制御手段によつて特定の用紙（転写紙）を収納した用紙収納手段を選択しない制御、或は特定の用紙（転写紙）を収納した用紙収納手段を選択して画像形成動作を続行する制御のいずれかが、オペレータにより選択され選択された制御が行われる。」
　
（ｄ）「【００１２】ところで、前述したように転写紙の選択、選択された転写紙への複写動作および後処理を行う複写装置には、特定の転写紙（厚紙，色紙など）が収納された特定カセツトが設けてあり、例えばパンフレツトの表紙の複写はこの特定の転写紙に行うことができるようにしてある。また、この種の複写装置は、前述のリミツトレスモードを持つているものがあり、現在の画像形成に使用しているカセツト内の転写紙が紙切れとなると、同一サイズの転写紙を収納しているカセツトを選択し、画像形成動作を中断せずに継続することができるように構成されている。図２は第１の実施例の操作部の一部平面図である。同図において２３１は選択されたコピー用紙がないことを警告する用紙補給表示器、２２８は所定のコピー動作について特定の転写紙の給紙を行うことを指示するためのカバーモードキー、２２９−１は先頭原稿に特定の転写紙の給紙を行う表カバーモードがセツトされていることを表示する表カバーモード表示器、２２９−２は先頭原稿および最終原稿に特定の転写紙を給紙する表裏カバーモードがセツトされていることを表示する表裏カバーモード表示器、２３２は特定転写紙が収納されていることを表示する特定転写紙収納カセツト表示器、２３５は操作上のガイダンスや確認、警告などを表示するためのＬＣＤ表示器である。」
　
（ｅ）「【００１７】次いで給紙カセツトに転写紙が有るかどうかをチエツク（ステツプ１−７）し、給紙カセツトに転写紙があれば給紙動作を行なう（ステツプ１−１１）。ステツプ１−７の判定で給紙カセツトに転写紙がない場合は、
リミツトレスモードフラグがセツトされているかをチエツク（ステツプ１−８）し、ステツプ１−８でリミツトレスモードフラグがセツトされていない場合は、搬送駆動モータ４１をＯＦＦしてコピー終了とする（ステツプ１−１８）。ステツプ１−８の判定でリミツトレスモードフラグがセツトされていれば、リミツトレスモードを実行して（ステツプ１−９）同一サイズカセツトを選択する。
　
５．本願発明と引用文献１に記載された発明の対比
　引用文献１に記載された発明の「ペーパ」、「給紙カセット」、「リミットレス給紙を行う制御手段」、「上記特定の給紙カセットを記憶する記憶手段」、「当該給紙カセットが上記記憶手段に記憶された特定の給紙カセットでない場合」及び「当該給紙カセットが上記記憶手段に記憶された特定の給紙カセットである場合」は、それぞれ、本願補正発明の「用紙」、「給紙手段」、「自動給紙制御手段」、「この設定手段で設定された実行許可、実行禁止の情報を記憶する記憶手段」、「上記記憶手段に記憶されている当該給紙手段の設定情報が実行許可であった場合」及び「上記記憶手段に記憶されている当該給紙手段の設定情報が実行禁止であった場合」に相当する。
　そして、引用文献１に記載された発明の「上記複数の給紙カセットのうち、上記リミットレス給紙の対象とならない特定の給紙カセットを設定する手段」と、本願発明の「上記複数の給紙手段における給紙手段毎に上記自動給紙制御手段の実行許可、実行禁止を設定する設定手段」とは、「上記複数の給紙手段のうち、自動給紙制御手段の実行を禁止する給紙手段を設定する設定手段」である点で共通する。
　また、引用文献１に記載された発明の「上記複数の給紙手段のうちの１つの給紙カセットから供給されるペーパに上記画像形成手段で画像を形成中に当該給紙カセットにペーパがなくなった際、当該給紙カセットが上記記憶手段に記憶された特定の給紙カセットである場合に、画像形成動作を中断する制御手段と、を具備した」と、本願発明の「上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行禁止であった場合に当該給紙手段に用紙が無くなったことを表示する表示手段と、を具備した」とは、「上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行禁止であった場合に画像形成動作を中断する制御手段と、を具備した」という点で共通する。
したがって、両者は、
　
「用紙を供給する複数の給紙手段と、
　この複数の給紙手段のうちの１つの給紙手段から供給される用紙に画像を形成する画像形成手段と、
　この画像形成手段で画像が形成される用紙を供給する給紙手段に用紙が無くなった際、当該給紙手段に収納されていた用紙と同じサイズの用紙を収納している他の給紙手段から自動的に用紙を供給して画像形成動作を継続する制御を行う自動給紙制御手段と、
　上記複数の給紙手段のうち、自動給紙制御手段の実行を禁止する給紙手段を設定する設定手段と、
　この設定手段で設定された実行許可、実行禁止の情報を記憶する記憶手段と、
　上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行許可であった場合に上記自動給紙制御手段を実行する実行手段と、
　上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行禁止であった場合に連続画像形成動作を中断する制御手段と、を具備した画像形成装置。」
　
である点で一致し、以下の点で相違する。
　
（１）本願発明が「上記自動給紙制御手段の実行を許可／禁止する自動給紙制御実施許可判断手段」を有し、「上記自動給紙制御実施許可判断手段により実行が許可され」ることも条件として、実行手段は「上記自動給紙制御手段を実行する」のに対して、引用文献１に記載された発明が当該自動給紙制御実施許可判断手段を有するか否かは不明であり、よって、当該自動給紙制御実施許可判断手段により実行が許可されることも条件として、実行手段は自動給紙制御手段を実行するのか否かも不明な点。
　
（２）設定手段が、本願発明は「上記複数の給紙手段における給紙手段
毎
　
（３）上記複数の給紙手段のうちの１つの給紙手段から供給される用紙に上記画像形成手段で画像を形成中に当該給紙手段に用紙がなくなった際、上記記憶手段に記憶されている当該給紙手段の設定情報が実行禁止であった場合に、本願発明は「当該給紙手段に用紙が無くなったことを表示する」のに対して、引用文献１に記載された発明は、前記場合に「画像形成動作を中断する」ものの、当該給紙手段に用紙が無くなったことを表示するか否かが不明な点。
　
６．判断
（１）相違点１について
　引用文献１に記載された発明において、リミットレス給紙機能そのものを、給紙段にかかわらず全体的に許可又は禁止する手段、すなわち「上記自動給紙制御手段の実行を許可／禁止する自動給紙制御実施許可判断手段」を設け、「上記自動給紙制御実施許可判断手段により実行が許可され」ることも条件として、実行手段は「上記自動給紙制御手段を実行する」ように構成することは、当業者にとっての単なる設計的事項にすぎない。
　また、引用文献２には、給紙中の給紙カセットに転写紙がなくなった場合には、リミットレスモードフラグがセットされているか否かを判断した後、当該フラグがセットされている場合であって、且つ、切り換え先のトレイが特別紙収納カセットと指定されていないことを条件に、当該トレイに給紙中の給紙カセットを切り換えることが記載されている。したがって、「上記自動給紙制御実施許可判断手段により実行が許可され」ることも条件として、実行手段は「上記自動給紙制御手段を実行する」ことが記載されている。よって、引用文献１に記載された発明において、相違点１に係る本願発明の構成とすることは、引用文献２に記載された事項に基づいて、当業者が適宜なしうることでもある。
　そして、相違点１に係る本願発明の構成により、当業者が予測できない程の格別の効果が奏されるものでもない。
　
（２）相違点２について
　引用文献１には、自動給紙制御手段の実行が禁止される給紙手段を複数設定することは明記されていない。しかし、すべての給紙手段について、自動給紙制御手段の実行が禁止されることを設定できるように、すなわち、「上記複数の給紙手段における給紙手段
毎
　そして、相違点２に係る本願発明の構成により、当業者が予測できない程の格別の効果が奏されるものでもない。
　
（３）相違点３について
　給紙カセットからの給紙中に、当該給紙カセットの用紙が無くなった場合に、画像形成動作を中断して、当該給紙カセットの用紙が無くなった旨を表示することは、本願出願前に当業者に周知であって、例えば特開平７−１８１７５６号公報、及び特開昭５９−８２２４９号公報に記載されている。よって、引用文献１に記載された発明において、「画像形成動作を中断する」とともに、当該給紙手段の用紙が無くなったことを表示するように構成することは、周知技術に基づいて、当業者が適宜なしうることである。
　そして、相違点３に係る本願発明の構成により、当業者が予測できない程の格別の効果が奏されるものでもない。
　
　また、本願発明は、全体としみても、当業者が予測できないほどの格別の効果を奏するものでもない。
　
７．むすび
　以上のとおり、本願発明は、引用文献１に記載された発明、及び周知技術に基づいて、又は、引用文献１に記載された発明、引用文献２に記載された事項、及び周知技術に基づいて、当業者が容易に発明をすることができたものであり、特許法第２９条第２項の規定により特許を受けることができない。
　したがって、他の請求項について検討するまでもなく、本願は拒絶すべきものである。
　
　よって、結論のとおり審決する。